(57)【要約】【課題】  傘状構造を具えて速やかに設置できるテント装置の提供。【解決手段】  中棒、保護カバー、ハンドル、複数の傘骨で組成され、二段式の中棒と傘骨によりテントの折り畳み収納に便利であり、上中棒にあってスライドスリーブが可動ろくろ後端に設けられ、且つ可動ろくろとスライドスリーブよりロープが上中棒に沿って延伸されて石突きを通り引き出され、それぞれ展開環と閉合環に接続され、傘骨の開閉に供され、並びに保護カバーの側面にスライドファスナーが設けられ、保護カバーの底部より内向きに底布が延伸され、且つ底布に三方向の閉合可能なスライドファスナー構造を具え、設置、使用に便利とされている。【選択図】        図３
0003103132.tif 000002
【実用新案登録請求の範囲】
【請求項１】
中棒、保護カバー、ハンドル、複数の傘骨で組成されたテント装置において、中棒の上中棒に設けられた凹溝内に設けられたタブが上中棒表面より突出し、上中棒上部に固定ろくろ、可動ろくろ、スライドスリーブが嵌合され、固定ろくろが上中棒の上端に固定され、可動ろくろは固定ろくろの下方に設けられ、スライドスリーブは可動ろくろの下方に設けられ、且つ可動ろくろとスライドスリーブよりそれぞれロープが上中棒に沿って延伸されて石突きを通り引き出され、それぞれ展開環と閉合環に接続され、保護カバーが上中棒の上方より嵌合され、並びに石突きと固定ろくろで挟持、固定され、保護カバーに傘骨数に対応する端部キャップが設けられ、保護カバーにあって傘骨の親骨に対応する位置に粘着手段が設けられ、ハンドルが石突きの外部に嵌合され並びに上中棒の上端に固定され、親骨の両端が固定ろくろの周囲と保護カバーの端部キャップ内に接続され、受骨の両端が親骨の適当な位置と可動ろくろの周囲に接続されたことを特徴とする、テント装置。
【請求項２】
請求項１記載のテント装置において、中棒が上中棒と下中棒で組成され、その組合せ後の長さが傘骨の総長より長いことを特徴とする、テント装置。
【請求項３】
請求項１記載のテント装置において、親骨の適当な位置に枢設構造が設けられたことを特徴とする、テント装置。
【請求項４】
請求項１記載のテント装置において、保護カバーの側面にスライドファスナーが設けられ、保護カバーの底部より内向きに傘骨展開後の大きさに対応する底布が延伸され、該底布が三方向に閉合可能なスライドファスナー構造を具えたことを特徴とする、テント装置。
【考案の詳細な説明】
【技術分野】
【０００１】
本考案はテント装置に係り、特に、中棒、保護カバー、ハンドル、複数の傘骨で組成されて、折り畳んでの収納と開いての使用に便利な開閉装置を具えたテント装置に関する。
【背景技術】
【０００２】
周知のテントの多くはキャンプを行なう時に、夜間に休息をとる場所として或いは臨時の休憩所として使用され、蛇類や昆虫等に悩まされるのを防止する。
周知のテントａは、図１に示されるようであり、支持用のボーンフレームｂを組み立てて使用者を収容できる空間を形成した後、さらにカバーｃをその外部にかぶせ、並びにカバーｃの四周を釘で地面に固定するか或いはロープで固定して設置され、こうして雨風をしのぐテントａが形成される。
【０００３】
特殊な場合、例えば魚釣りや登山時の休憩所として使用される場合は、随時場所を変更する可能性があるが、伝統的なテントは体積が過大で操作にも不便であるため、改良の必要がある。ゆえにスプリング式のボーンフレームを使用してテントを支持し、ボーンフレームに弾性を具備させて急速に形状を回復できるようにしたものもあるが、ボーンフレームが弾性を有するために大きな風力にあまり耐えられず、効果的な保護を達成できないという欠点がある。
【考案の開示】
【考案が解決しようとする課題】
【０００４】
本考案の主要な目的は、折り畳んでの収納と設置使用に便利なテント装置を提供することにある。
【課題を解決するための手段】
【０００５】
請求項１の考案は、中棒、保護カバー、ハンドル、複数の傘骨で組成されたテント装置において、中棒の上中棒に設けられた凹溝内に設けられたタブが上中棒表面より突出し、上中棒上部に固定ろくろ、可動ろくろ、スライドスリーブが嵌合され、固定ろくろが上中棒の上端に固定され、可動ろくろは固定ろくろの下方に設けられ、スライドスリーブは可動ろくろの下方に設けられ、且つ可動ろくろとスライドスリーブよりそれぞれロープが上中棒に沿って延伸されて石突きを通り引き出され、それぞれ展開環と閉合環に接続され、保護カバーが上中棒の上方より嵌合され、並びに石突きと固定ろくろで挟持、固定され、保護カバーに傘骨数に対応する端部キャップが設けられ、保護カバーにあって傘骨の親骨に対応する位置に粘着手段が設けられ、ハンドルが石突きの外部に嵌合され並びに上中棒の上端に固定され、親骨の両端が固定ろくろの周囲と保護カバーの端部キャップ内に接続され、受骨の両端が親骨の適当な位置と可動ろくろの周囲に接続されたことを特徴とする、テント装置としている。
請求項２の考案は、請求項１記載のテント装置において、中棒が上中棒と下中棒で組成され、その組合せ後の長さが傘骨の総長より長いことを特徴とする、テント装置としている。
請求項３の考案は、請求項１記載のテント装置において、親骨の適当な位置に枢設構造が設けられたことを特徴とする、テント装置としている。
請求項４の考案は、請求項１記載のテント装置において、保護カバーの側面にスライドファスナーが設けられ、保護カバーの底部より内向きに傘骨展開後の大きさに対応する底布が延伸され、該底布が三方向に閉合可能なスライドファスナー構造を具えたことを特徴とする、テント装置としている。
【考案の効果】
【０００６】
本考案のテント装置は、傘骨の連接棒間の相互作用を利用し、傘骨と保護カバーを展開し、確実に設置、使用の便利性を達成し、且つこの構造は保護カバー交換時に便利であり、ゆえに本考案は実用性と進歩性を具えている。
【考案を実施するための最良の形態】
【０００７】
本考案の中棒、保護カバー、ハンドル、複数の傘骨で組成され、中棒は上中棒と下中棒で組成され、上中棒に設けられた凹溝内に設けられたタブが上中棒表面より突出し、上中棒上部に固定ろくろと可動ろくろが設けられ、固定ろくろと上中棒が固定され、可動ろくろは固定ろくろの下方に設けられ、親骨と受骨の内端が固定ろくろと可動ろくろに接続され、さらに中央に中央孔を具えた保護カバーが中棒上端より下向きに嵌合され、並びに保護カバーが石突きと固定ろくろで上中棒上端に挟持、固定され、且つ該保護カバーが親骨数に対応する端部キャップを具え、端部キャップに親骨の外端が挿入され、且つ親骨の適当な位置に枢設機構が設けられている。上中棒に設けられたスライドスリーブが可動ろくろ後端を押し上げ、且つ可動ろくろとスライドスリーブよりそれぞれロープが上中棒に沿って延伸されて石突きを通り引き出され、それぞれ展開環と閉合環に接続され、傘骨の開閉操作に供され、並びに保護カバーの側面にスライドファスナーが設けられ、保護カバーの底部より底布が延伸され、且つ底布に三方向の閉合可能なスライドファスナー構造を具えている。
【０００８】
本考案は上述の構造を有する。考案の開閉の大きさ及び高度は可動ろくろが中棒上をスライドする長さにより決定される。また、テント内部に最大の空間を具備させ且つ折り畳んで収納するのに便利とするため、中骨は上下二段式の設計とされ、並びに傘骨の適当な位置に枢設機構が設けられている。テントを開く時、可動ろくろに接続された展開環を引くことで、可動ろくろを中棒上で移動させて傘骨に複数の連接棒間の相互作用を受けさせて傘骨を押し開き、保護カバーを展開させることができ、且つ可動ろくろが上に移動させられた後に、上中棒のタブに当接して位置決めされ、傘状のテントが展開状態を保持する。テントを閉じる時は、スライドスリーブに接続された閉合環を引くことで、スライドスリーブを中棒上で移動させ、タブを押圧してそれを凹溝中に進入させることができ、これにより可動ろくろを傘骨の推力により下に移動させてテントを折り畳むことができる。
以上の構造を使用する時、展開環を引っ張って傘骨を制御して展開し、さらに下中棒を取り外し、並びに保護カバー底部のスライドファスナーを閉じ合わせる。収納時には、先ず底部のスライドファスナーを開き、下中棒と上中棒を接続し、さらに閉合環を引っ張り、傘骨を制御して閉合させる。こうして折り畳んでの収納及び展開使用に便利とする目的を達成している。
【実施例１】
【０００９】
図２、３に示されるように、本考案のテント装置は、中棒１０、保護カバー２０、ハンドル３０、複数の傘骨４０で組成されている。
【００１０】
該中棒１０は、上中棒１１と下中棒１２で組成され、上中棒１１に設けられた凹溝１１ａ内に設けられたタブ１１ａ１が上中棒１１表面より突出している。上中棒１１上部に固定ろくろ１１ｂ、可動ろくろ１１ｃ及びスライドスリーブ１１ｄが設けられ、固定ろくろ１１ｂは上中棒１１の上端に固定され、可動ろくろ１１ｃは固定ろくろ１１ｂの下方に設けられ、スライドスリーブ１１ｄは可動ろくろ１１ｃの下方に設けられ、且つ可動ろくろ１１ｃとスライドスリーブ１１ｄよりロープ１１ｅが上中棒１１に沿って延伸されて石突き１１ｆを通り引き出され、それぞれ展開環１１ｃ１と閉合環１１ｄ１に接続されている。
【００１１】
該保護カバー２０は、等辺の多角形に形成され、中央に中央孔２１が設けられ、上中棒１１の上方より嵌合され、並びに石突き１１ｆと固定ろくろ１１ｂで挟持、固定され、該保護カバー２０は傘骨４０数に対応する端部キャップ２２を具え、保護カバー２０の、親骨４１に対応する位置に粘着手段２３が設けられ、並びに保護カバー２０の側面にスライドファスナー２４が設けられ、保護カバー２０の底部より内向きに内向きに傘骨４０展開後の大きさに対応する底布２５が延伸され、且つ三方向に閉合可能なスライドファスナー構造２６が設けられている。
【００１２】
該ハンドル３０は、石突き１１ｆの外部に嵌合され、並びに上中棒１１の上端と固定される。
【００１３】
該傘骨４０は、複数の親骨４１と受骨４２で組成され、親骨４１の適当な位置に枢設機構４１ａが設けられ、親骨４１の折り畳みと展開に供され、親骨４１の両端は固定ろくろ１１ｂの周囲と保護カバー２０の端部キャップ２２内にそれぞれ接続され、受骨４２の両端は親骨４１の適当な位置と可動ろくろ１１ｃの周囲に接続されている。
【００１４】
図４、５、６に示されるように、上述の構造を組立後に使用する時、テントを展開したい時は、可動ろくろ１１ｃに接続された展開環１１ｃ１を引くことで、可動ろくろ１１ｃを中棒１０上で上に移動させて傘骨４０に複数の連接棒間の相互作用を受けさせて親骨４１を押し開き、保護カバー２０を展開させる。可動ろくろ１１ｃは上に移動させられた後に、上中棒１１のタブ１１ａ１に係止され位置決めされ、傘状のテントが展開状態を保持する。さらに上中棒１１と下中棒１２を分離し、並びに底部のスライドファスナー構造２６を引き上げ、保護スリーブ２０を完全被覆状態となす。使用者は側面のスライドファスナー２４でテントを出入りすることができる。テントを閉じる時は、底部のスライドファスナー構造２６を開き、保護カバー２０を活動状態となし、上中棒１１、下中棒１２を接続し、スライドスリーブ１１ｄの移動の軌道となす。このとき、スライドスリーブ１１ｄに接続された閉合環１１ｄ１を引くことで、スライドスリーブ１１ｄを中棒１０に沿って上に移動させ、タブ１１ａ１を押圧させてタブ１１ａ１を凹溝１１ａ内に進入させることができ、これにより可動ろくろ１１ｃを傘骨４０の推力により下に移動させて傘骨４０を折り畳むことができる。保護カバー２０は粘着手段２３で傘骨４０に固定されているため、保護カバー２０交換時に、交換と固定に便利であり、保護カバー２０底部の展開後の大きさの底布２５と三方向に閉合可能なスライドファスナー構造２６により、本考案の展開時に全体の保護カバー２０が閉じた形態をなし、折り畳み時に収納に便利である。
【００１５】
図７は本考案の実施例であり、釣時に使用する状態を示す。本考案はまず、岸辺或いは埠頭に架設され、保護カバー２０の具備する雨よけと風よけの機能を利用し、不断に釣りのポイントを移動する時も設置と使用に便利であり、また子供のプレイハウスや海難上の暫時休憩所として使用することもできる。
以上の実施例は本考案の実施範囲を限定するものではなく、本考案に基づきなしうる細部の修飾或いは改変は、いずれも本考案の請求範囲に属するものとする。
【図面の簡単な説明】
【００１６】
【図１】周知のテントの組合せ表示図である。
【図２】本考案の立体組合せ図である。
【図３】本考案の中棒と傘骨の立体組合せ図である。
【図４】本考案のテント展開時の表示図である。
【図５】本考案のテント閉合時の表示図である。
【図６】本考案の底部のスライドファスナー構造の組合せ表示図である。
【図７】本考案の実施例図である。
【符号の説明】
【００１７】
１０  中棒                        ２０  保護カバー
３０  ハンドル                    ４０  傘骨
１１  上中棒                      １２  下中棒
１１ａ  凹溝                      １１ａ１  タブ
１１ｂ  固定ろくろ                １１ｃ  可動ろくろ
１１ｄ  スライドスリーブ          １１ｅ  ロープ
１１ｆ  石突き                    １１ｃ１  展開環
１１ｄ１  閉合環                  ２１  中央孔
２２  端部キャップ                ２３  粘着手段
２４  スライドファスナー          ２５  底布
２６  スライドファスナー構造      ４１  親骨
４２  受骨                        ４１ａ  枢設構造
【図１】
0003103132.tif 000003
【図２】
0003103132.tif 000004
【図３】
0003103132.tif 000005
【図４】
0003103132.tif 000006
【図５】
0003103132.tif 000007
【図６】
0003103132.tif 000008
【図７】
0003103132.tif 000009